(57)【要約】【課題】定着装置の電源投入時、待機時、印刷時における突入電流を防止するとともに、定着装置の電源投入時から印刷可能温度となるまでの時間を短縮し、待機時および印刷時における消費電力を低減する。【解決手段】ヒートローラ１０の中央部を加熱するセンターランプ１１と、ヒートローラ１０の端部を加熱するサイドランプ１２と、ヒートローラ１０の中央部の温度を検出するサーミスタ１３と、ヒートローラ１０の端部の温度を検出するサーミスタ１４とを有し、センターランプ又はサイドランプのいずれか一方のランプが加熱を行っているときは、そのランプの加熱が停止するまで他方のランプの加熱開始を待機させ、ヒートローラ１０を所定の制御温度範囲内に維持する。【選択図】      図２
2005070628.tif 000002
【特許請求の範囲】
【請求項１】
現像剤を用紙に定着させるために使用される略円筒形状の被加熱体と、前記被加熱体の内部に配置され前記被加熱体を加熱する第１のヒータと、前記被加熱体の内部に配置され前記被加熱体を加熱する第２のヒータと、前記被加熱体の中央部の温度を検出する第１の温度検出手段と、前記被加熱体の端部の温度を検出する第２の温度検出手段と、前記被加熱体を加熱する制御温度を設定する温度設定手段と、ウォームアップ時に前記第１のヒータによる前記被加熱体の加熱を開始し、所定時間経過後に前記第２のヒータによる前記被加熱体の加熱を開始するウォームアップ制御手段と、前記第１の温度検出手段により検出される温度が前記温度設定手段に設定された制御温度を超えるときに前記第１のヒータによる加熱を停止する第１の加熱停止制御手段と、前記第２の温度検出手段により検出される温度が前記温度設定手段により設定された制御温度を超えるときに前記第２のヒータによる加熱を停止する第２の加熱停止制御手段とを備えたことを特徴とする定着装置のヒータ制御装置。
【請求項２】
前記第１のヒータの電力量と前記第２のヒータの電力量の合計がウォームアップ時に供給可能な電力量と略等しいことを特徴とする請求項１に記載の定着装置のヒータ制御装置。
【請求項３】
現像剤を用紙に定着させるために使用される略円筒形状の被加熱体と、前記被加熱体の内部に配置され前記被加熱体を加熱する第１のヒータと、前記被加熱体の内部に配置され前記被加熱体を加熱する第２のヒータと、前記被加熱体の中央部の温度を検出する第１の温度検出手段と、前記被加熱体の端部の温度を検出する第２の温度検出手段と、前記第１のヒータ又は前記第２のヒータのいずれか一方のヒータが加熱を行っているときには他方のヒータの加熱開始を待機させ、前記被加熱体を所定の制御温度範囲内に維持する制御を行う温度制御手段とを備えたことを特徴とする定着装置のヒータ制御装置。
【請求項４】
前記温度制御手段は、前記第１の温度検出手段により検出される温度が前記制御温度範囲以下となると前記第１のヒータによる加熱を開始する第１の加熱開始制御手段と、前記第１の加熱開始制御手段により加熱が開始された前記第１のヒータの加熱を継続する第１の最大ＯＮ時間を設定する第１の最大ＯＮ時間設定手段と、前記第１の温度検出手段により検出される温度が前記制御温度範囲を超えるとき、又は、前記第１の最大ＯＮ時間が経過したときに前記第１のヒータによる加熱を停止する第１の加熱停止制御手段と、前記第１の加熱停止制御手段により前記第１のヒータの加熱が停止されると、前記第１の加熱開始制御手段による前記第１のヒータの加熱の開始を所定時間経過するまで停止するための第１の最小ＯＦＦ時間を設定する第１の最小ＯＦＦ時間設定手段と、前記第２の温度検出手段により検出される温度が前記制御温度範囲以下となると前記第２のヒータによる加熱を開始する第２の加熱開始制御手段と、前記第２の加熱開始制御手段により加熱が開始された前記第２のヒータの加熱を継続する第２の最大ＯＮ時間を設定する第２の最大ＯＮ時間設定手段と、前記第２の温度検出手段により検出される温度が前記制御温度範囲を超えるとき、又は、前記第２の最大ＯＮ時間が経過したときに前記第２のヒータによる加熱を停止する第２の加熱停止制御手段と、前記第２の加熱停止制御手段により前記第２のヒータによる加熱が停止されると、前記第２の加熱開始制御手段による前記第２のヒータの加熱の開始を所定時間経過するまで停止する第２の最小ＯＦＦ時間を設定する第２の最小ＯＦＦ時間設定手段とを備えたことを特徴とする請求項３に記載の定着装置のヒータ制御装置。
【請求項５】
前記被加熱体の非通紙部の温度を検出する第３の温度検出手段と、前記第１、前記第２および前記第３の温度検出手段により検出した各温度を予め設けられた複数の基準値とソフトウェア処理で比較する第１の比較手段と、前記第１、前記第２および前記第３の温度検出手段により検出した各温度を予め設けられた複数の基準値とハードウェア処理で比較する第２の比較手段と、前記第１の比較手段の比較結果と前記第２の比較手段の比較結果に基づいて前記第１のヒータおよび前記第２のヒータへ供給する電源を制御する電源供給制御手段と、前記第１の比較手段の比較結果と前記第２の比較手段の比較結果に基づいて電源供給源から供給される電源をＯＦＦする電源リセット手段とをさらに備えたことを特徴とする請求項１から４のいずれか１に記載の定着装置のヒータ制御装置。
【発明の詳細な説明】
【技術分野】
【０００１】
本発明は、電子写真プロセスなどにより用紙に転写された現像剤像であるトナー像を用紙へ定着させる定着装置に設けられたヒータを制御する定着装置のヒータ制御装置に関する。
【背景技術】
【０００２】
従来、プリンタやデジタル複合機等の画像形成装置で記録用紙に転写されたトナー像を定着させる定着装置が知られている。この定着装置は、ヒートローラ内に、ヒートローラが記録紙に接する側の近い側に位置する昇温・保温用のヒータランプとヒートローラが記録紙に接する側の遠い側に位置する昇温用のヒータランプとの２本のヒータランプを設け、ウォームアップ時の電源投入後からヒートローラの表面温度が所定の定着可能温度になるまでは、２本のヒータランプをともにＯＮして、ヒートローラを加熱し、２本のヒータランプをＯＮしてから、短時間でヒートローラの表面温度を所定の定着可能温度にするものが知られている。また、この定着装置は、ヒートローラの表面が定着可能温度に到達する直前で、昇温用のヒータランプのみをＯＦＦにし、定着可能温度に到達後は、昇温・保温用のヒータランプをＯＦＦする。また、ヒートローラの表面温度が定着可能温度以下に低下すると昇温・保温用のヒータランプをＯＮし、定着可能温度を超えると昇温・保存用のヒータランプもＯＦＦするという制御を行うことにより、ヒートローラの表面温度が所定の定着可能温度を維持するようにしている（例えば、特許文献１参照）。
【特許文献１】特開平１０−３３３４８７号公報
【発明の開示】
【発明が解決しようとする課題】
【０００３】
このような定着装置によると、２本のヒータランプを電源投入時からともにＯＮするため、短時間でヒートローラの表層を定着可能温度に昇温させることはできる。しかしながら、電源投入時に２本のヒータランプに電源を供給するため、突入電流が発生してしまう虞がある。  
また、画像形成装置に設けられている定着装置には、電源投入時と、待機時および印刷時とでは、定着装置以外に稼動する機構部が異なるため、ヒータランプなどのヒートローラの加熱手段に供給できる最大電力量が異なっているという事情がある。すなわち、電源投入時には定着装置以外の機構はほとんど動作しないため画像形成装置に供給される電力の大部分を定着装置に供給することも可能である。一方、電源投入時から定着可能温度に到達する時間を短くするために、ヒートローラの表層を薄肉化することも考えられるが、ヒートローラの表層を薄肉化すると、最大通紙幅より小さいサイズの用紙をプリントする場合に、非通紙部の温度上昇が問題となってしまう。
【０００４】
さらに、従来は、ＣＰＵの暴走等によりヒータ制御が不能になりヒータがＯＮし続けた場合には、安全装置としてのサーモスタットが作動し、ヒータへの電源供給を遮断するようになっているが、サーモスタットの作動により機体に損傷が発生してしまう虞がある。
【０００５】
本発明は上記事情に鑑みてなされたものであって、その目的は、定着装置の電源投入時、待機時、印刷時における突入電流を防止するとともに、定着装置の電源投入時から印刷可能温度となるまでの時間を短縮し、待機時および印刷時における消費電力を低減できる定着装置のヒータ制御装置を提供することにある。
【課題を解決するための手段】
【０００６】
本発明は、現像剤を用紙に定着させるために加熱して使用される略円筒形状のヒートローラである被加熱体と、被加熱体の内部に配置され被加熱体の中央部を加熱するヒータランプである第１のヒータと、被加熱体の内部に配置され被加熱体の端部を加熱するヒータランプである第２のヒータと、被加熱体の中央部の温度を検出する例えばサーミスタである第１の温度検出手段と、被加熱体の端部の温度を検出する例えばサーミスタである第２の温度検出手段とを有し、第１のヒータ又は第２のヒータのいずれか一方のヒータが加熱を行っているときは、そのヒータの加熱が停止するまで他方のヒータの加熱開始を待機させ、被加熱体を所定の制御温度範囲内に維持するものである。
【発明の効果】
【０００７】
本発明によると、定着装置の電源投入時、待機時、印刷時における突入電流を防止するとともに、定着装置の電源投入時から印刷可能温度となるまでの時間を短縮し、待機時および印刷時における消費電力を低減できる定着装置のヒータ制御装置を提供できる。
【発明を実施するための最良の形態】
【０００８】
以下、本発明の一実施の形態について図面を参照して説明する。なお、本発明の定着装置のヒータ制御装置が、電子写真方式により画像形成が行われる周知のデジタル複合機に用いられた場合で以下の説明を行う。
【０００９】
図１は、定着装置１の構成を概略的に説明するための断面図である。被加熱体であるヒートローラ１０内部にヒートローラ１０を加熱するための２本のヒータランプが設けられている。一方のヒータランプは主としてヒートローラ１０の中央部を加熱する配熱特性を有する第１の加熱手段であるヒータランプ１１（以下、センターランプ１１と称する。）であり、他方のヒータランプは主としてヒートローラ１０の両端部を熱する配熱特性を有する第２の加熱手段であるヒータランプ１２（以下、サイドランプ１２と称する。）である。この実施の形態においては、センターランプ１１の電力量とサイドランプ１２の電力量の合計は、デジタル複合機に電源を投入したときに供給可能な電力量と略等しくなり、かつ、センターランプ１１とサイドランプ１２の電力量が等しくなるように設定されている。
【００１０】
図中に示す最大通紙幅Ｗは、ヒートローラ１０の中央部に所定幅で設定されており、ヒートローラ１０の加熱により用紙に転写されたトナー像を定着させることができる幅を示している。最大通紙幅Ｗは、ヒートローラ１０の長さよりも幅が短く設定されるため、ヒートローラ１０の最大通紙幅Ｗの外側は非通紙部が形成される。
【００１１】
また、ヒートローラ１０の表面の中央部の温度を検出する第１の温度検出手段であるサーミスタ１３（以下、センターサーミスタ１３と称する。）、端部の温度を検出する第２の温度検出手段であるサーミスタ１４（以下、サイドサーミスタ１４と称する。）、非通紙部の温度を検出する第３の温度検出手段であるサーミスタ１５（以下、エッジサーミスタ１５と称する。）が設けられている。
【００１２】
さらに、センターランプ１１により加熱されるヒートローラ１０の中央部に、また、サイドランプ１２により加熱されるヒートローラ１０の一方の端部にサーモスタッド１６、１７が配置されている。このサーモスタッド１６，１７は過昇温を検出したときに通電を停止して定着装置を保護するために設けられている。
【００１３】
図２は本発明の定着装置１のヒータ制御装置２の制御構成を示す図であり、図３はデジタル複合機の電源投入時の過昇温を防止する制御を示すフローチャート、図４は待機時、印刷時の過昇温を防止する制御を示すフローチャートである。
【００１４】
図２に示すように、センターサーミスタ１３およびサイドサーミスタ１４の出力は、制御部２１、基準温度Ｒ２比較回路２２および基準温度Ｒ５比較回路２３に入力される。エッジサーミスタ１５の出力は、制御部２１、基準温度Ｒ３比較回路２４および基準温度Ｒ５比較回路２３に入力される。
【００１５】
制御部２１は、Ａ／Ｄ部２１ａ、図示しないＣＰＵ、ＲＯＭ、記憶部、時計部などにより構成されており、例えば、デジタル複合機を総括的に制御するための制御部である。ＣＰＵがＲＯＭに記憶された制御プログラムや記憶部に記憶された各種設定等に基づいて各種処理を実行する。時計部は時刻情報を生成し、ＣＰＵが所定時間を計時するために使用される。また、ＲＯＭには、基準温度Ｒ１と基準温度Ｒ４と、ＣＰＵが実行する各種制御プログラムなどが記憶され、記憶部には後述する各設定時間等が記憶されている。Ａ／Ｄ部２１ａはセンターサーミスタ１３、サイドサーミスタ１４およびエッジサーミスタ１５で検出された温度を示すアナログ信号をデジタル信号に変換する。また、上述の制御プログラムには、Ａ／Ｄ部２１ａによりデジタル信号に変換されたセンターサーミスタ１３、サイドサーミスタ１４およびエッジサーミスタ１５で検出された温度と基準温度Ｒ１および基準温度Ｒ４とを比較する制御プログラムが含まれている。この制御プログラムにより、各サーミスタ１３，１４，１５で検出された温度と基準温度Ｒ１とを比較し、各サーミスタ１３，１４，１５の検出温度が全て基準温度Ｒ１の範囲内であれば１が、１つでも基準温度Ｒ１の範囲外のものがあれば０がＡＮＤゲート２９に出力され、各サーミスタで検出された温度と基準温度Ｒ４とを比較し、各サーミスタ１３，１４，１５の検出温度が全て基準温度Ｒ４の範囲内であれば１が、１つでも基準温度Ｒ４の範囲外のものがあれば０がＯＲゲート２６に出力される。
【００１６】
基準温度Ｒ２比較回路２２ではセンターサーミスタ１３およびサイドサーミスタ１４から出力された信号が基準温度Ｒ２と比較され、基準温度Ｒ２の範囲内である場合には１が、基準温度Ｒ２の範囲外である場合には０がＡＮＤゲート２９に出力される。基準温度Ｒ３比較回路２４ではエッジサーミスタ１５から出力された信号が基準温度Ｒ３と比較され、基準温度Ｒ３の範囲内である場合には１が、基準温度Ｒ３の範囲外である場合には０がＡＮＤゲート２９に出力される。
【００１７】
ＡＮＤゲート２９では、制御部２１からの出力、基準温度Ｒ２比較回路２２および基準温度Ｒ３比較回路２４からの出力でＡＮＤをとる。センターサーミスタ１３、サイドサーミスタ１４の検出温度が基準温度Ｒ１、Ｒ２の範囲内でかつエッジサーミスタ１５で検出される温度が基準温度Ｒ３内のときにこのＡＮＤゲートから１が電源３０へ出力される。電源３０は、センターランプ１１、サイドランプ１２に電源を供給するものであり、内部にＳＳＲ（ソリッド・ステート・リレー）３０ａが設けられている。ＡＮＤゲート２９から１が入力されると、センターランプ１１およびサイドランプ１２に電源を供給する。
【００１８】
すなわち、図３に示すように、本体電源スイッチ（ＳＷ）２８のＯＮ（ＳＴ１１）の後、センターサーミスタ１３、サイドサーミスタ１４の検出温度が制御部２１内の基準温度Ｒ１の範囲内（ＳＴ１２でＹＥＳ）、センターサーミスタ１３、サイドサーミスタ１４の検出温度が基準温度Ｒ２の範囲内（ＳＴ１３でＹＥＳ）、エッジサーミスタ１５の検出温度が基準温度Ｒ３の範囲内（ＳＴ１４でＹＥＳ）の全ての条件を満たした場合に、センターランプ１１およびサイドランプ１２の点灯が可能となる（ＳＴ５）。
【００１９】
また、基準温度Ｒ５比較回路２３でセンターサーミスタ１３、サイドサーミスタ１４およびエッジサーミスタ１５から出力された温度を示す信号は基準温度Ｒ５と比較され、基準温度Ｒ５の範囲を超えている場合には１が、範囲内であれば０がＯＲゲート２５に出力される。ＯＲゲート２５で３つの信号のＯＲがとられ、その結果がＯＲゲート２６に出力される。
【００２０】
ＯＲゲート２６では制御部２１からの出力と基準温度Ｒ５比較回路２３からの出力とのＯＲが取られる。いずれか一方の出力が１であれば、リセット回路２７に１が出力される。リセット回路２７は本体電源ＳＷ２８のＯＮにより供給される電源をリセットしてＯＦＦする回路であり、ＯＲゲート２６から１が出力されると、デジタル複合機の電源をＯＦＦにリセットする。
【００２１】
すなわち、図４に示すように、エッジサーミスタ１５の検出温度が制御部２１内の基準温度Ｒ４を超えた場合（ＳＴ２１でＮＯ）、センターサーミスタ１３、サイドサーミスタ１４およびエッジサーミスタ１５のいずれかのサーミスタの検出温度が基準温度Ｒ５を超えた場合（ＳＴ２１でＮＯ）のいずれかの場合には、リセット回路２７が駆動し（ＳＴ２３）、デジタル複合機の電源をＯＦＦにする（ＳＴ２４）。
【００２２】
続いて、このように過昇温に対する保護の制御を有する定着装置１のヒータ制御装置２におけるセンターランプ１１、サイドランプ１２に電源が供給可能となっているときに制御部２１が実行する制御を図５および図６を参照して説明する。なお、制御部２１は、電源３０内のＳＳＲ３０ａを制御してセンターランプ１１、サイドランプ１２の点灯／消灯を制御し、加熱および停止を行えるように構成されている。また、制御部２１内の記憶部には、ヒートローラ１０を定着可能とするための制御温度が記憶されており、制御温度範囲は、設定された制御温度に対して例えば、制御温度の＋２℃をランプＯＦＦ温度とし、制御温度の−２℃をランプＯＮ温度とする設定が記憶されている。
【００２３】
図５に示すように、オペレータにより本体電源ＳＷ２８がＯＮされると、制御部２１はデジタル複合機のウォームアップを開始する。このウォームアップ時には、制御部２１はセンターランプ１１の加熱を開始した後、ランプ点灯遅延時間Ｔ１経過後にサイドランプ１２の加熱を開始する制御を行う（ウォームアップ加熱制御手段）。このランプ点灯遅延時間Ｔ１は制御部２１の記憶部に予め設定されているものである。
【００２４】
そして、センターサーミスタ１３およびサイドサーミスタ１４で検出する検出温度が制御温度範囲を超えるとセンターランプ１１、サイドランプ１２の加熱をそれぞれ停止する（第１の加熱停止制御手段、第２の加熱停止制御手段）。このようにウォームアップが終了して待機時および印刷時になる。この待機時および印刷時には制御部２１は、各サーミスタ１３，１４，１５の検出結果と、制御温度範囲とを比較し、結果に応じて電源内のＳＳＲにランプＯＮ信号を出力し、センターランプ１１およびサイドランプ１２のどちらか一方のランプが点灯して加熱を行っているときには他方のランプは加熱開始を待機させ、ヒートローラ１０の表面温度を制御温度範囲に維持する制御を行う（温度制御手段）。
【００２５】
ヒートローラ１０の表面温度を制御温度範囲に維持する制御は次のように行う。制御部２１はセンターサーミスタ１３により検出される温度がランプＯＮ温度以下となるとセンターランプ１１加熱を開始し（第１の加熱開始制御手段）、この加熱が開始されると記憶部に記憶されたセンターランプ１１の加熱を継続する第１の時間である最大ＯＮ時間Ｔ２（第１の時間設定手段）を計時する。そして、センターサーミスタ１３の検出温度がランプＯＦＦ温度を超えたとき、又は、最大ＯＮ時間を経過すると、制御部２１は、センターランプ１１の加熱を停止する（第１の加熱停止制御手段）。この加熱が停止するとセンターランプ１１の加熱の開始を停止するための記憶部に記憶された最小ＯＦＦ時間Ｔ３（第１の最小ＯＦＦ時間）を計時する。
【００２６】
また、制御部２１はサイドサーミスタ１４により検出される温度がランプＯＮ温度以下となるとサイドランプ１２の加熱を開始し（第２の加熱開始制御手段）、この加熱が開始されると記憶部に記憶されたサイドランプ１２の加熱を継続する第２の時間である最大ＯＮ時間Ｔ４（第２の時間設定手段）を計時する。そして、サイドサーミスタ１４の検出温度がランプＯＦＦ温度を超えたとき、又は、最大ＯＮ時間を経過すると、制御部２１は、サイドランプ１２の加熱を停止する（第２の加熱停止制御手段）。この加熱が停止するとサイドランプ１２の加熱の開始を停止するための記憶部に記憶された最小ＯＦＦ時間Ｔ５（第２の最小ＯＦＦ時間）を計時する。
【００２７】
このように、センターランプ１１およびサイドランプ１２の加熱を停止した後に、最小ＯＦＦ時間Ｔ３、Ｔ５をそれぞれ設けるのは、センターランプ１１またはサイドランプ１２のどちらか一方のランプばかりが加熱を行うのを防止するためである。
【００２８】
また、上述のようにセンターランプ１１およびサイドランプ１２の加熱制御を行うことにより、センターランプ１１およびサイドランプ１２が同時に加熱を行うことはないが、センターランプ１１とサイドランプ１２が同時に加熱を停止する場合は生じる。例えば、一方のランプの加熱によりランプＯＦＦ温度に達した後そのランプがランプＯＮ温度となる前に、他方のランプが加熱を開始しランプＯＦＦ温度に達した場合である。したがって、制御部２１は、加熱する必要のない場合には、センターランプ１１およびサイドランプ１２の加熱をともに行わない。
【００２９】
また、図６に示すように、制御部２１はサイドランプ１２の加熱中にセンターランプ１１の加熱開始の要求があってもサイドランプ１２の加熱が停止するまでは、センターランプ１１の加熱の開始を同図中ランプＯＮ待ち時間で示す時間だけ待機させ、そして、サイドランプ１２の加熱が停止されてからセンターランプ１１の加熱を開始する。このランプＯＮ待ち時間は、サイドランプ１２の加熱開始の直後にセンターランプ１１の加熱開始要求があった場合に最大となり、その場合には最大ＯＮ時間Ｔ４となる。なお、センターランプ１１の加熱中にサイドランプ１２の加熱開始の要求がある場合も同様に、センターランプ１１の加熱が停止するまではサイドランプ１２の加熱の開始を待機させる。したがって、この場合のランプＯＮ待ち時間は、最大で最大ＯＮ時間Ｔ２となる。
【００３０】
なお上述の、ランプ点灯遅延時間Ｔ１、最大ＯＮ時間Ｔ２，Ｔ４、最小ＯＦＦ時間Ｔ３，Ｔ５は制御部の記憶部内に記憶されているものであり、オペレータがデジタル複合機の操作部等を操作することによりソフト的に任意に設定可能な値とする。
【００３１】
また、最大ＯＮ時間Ｔ２，Ｔ４は、１度の加熱から停止するまでの間にセンターランプ１１、サイドランプ１２をランプＯＮ温度からランプＯＦＦ温度までヒートローラ１０の表面温度を上昇させることができる時間以上に設定するとともに、センターランプ１１、サイドランプ１２の電力量、制御温度に対するランプＯＮ温度、ランプＯＦＦ温度に応じて適正な時間に設定する。すなわち、最大ランプＯＮ時間Ｔ２，Ｔ４が長すぎる場合には、一方のランプが加熱中は他方のランプの加熱開始を待機させるために、待機しているランプが加熱する部分に対応するヒートローラ１０の表面温度の大幅な温度低下が生じることになり定着性に影響を及ぼす可能性があり、逆に最大ランプＯＮ時間Ｔ２，Ｔ４が短すぎる場合には、ヒートローラ１０が制御温度範囲に到達しないばかりか、ＯＮ／ＯＦＦの切換え回数が増えるためフリッカー規格にも不利になることを考慮して適正な時間を設定する必要がある。
【００３２】
この実施の形態の定着装置１のヒータ制御装置２によると、ウォームアップ時は、２本のヒータランプの一方のヒーランプの加熱を開始し、所定時間経過後に他方のヒータランプの加熱を開始し、また、待機時および印刷時は、２本のヒータランプを同時に加熱制御することがないとともに加熱する必要のない場合には２本のヒータランプの加熱をともに行わないので、定着装置１の電源投入時、待機時、印刷時における突入電流を防止するとともに、定着装置１の電源投入時から印刷可能温度となるまでの時間を短縮し、待機時および印刷時における消費電力を低減できる。
【００３３】
また、センターランプ１１の電力量とサイドランプ１２の電力量の合計がウォームアップ時に供給可能な電力量と略等しく設定しているため、ウォームアップ時に供給可能な電力を略全てヒートローラ１０の加熱に使用できるため、ウォームアップ時間を短縮できる。このため、ヒートローラ１０の表層を薄肉化してウォームアップ時間の短縮を図る必要がないため、非通紙部の温度上昇を防止することができる。
【００３４】
さらに、ヒータランプの制御を基準温度Ｒ１、定着装置１の保護を基準温度Ｒ４によりソフト的に行うとともにヒータランプの制御を基準温度Ｒ２、Ｒ３、定着装置１の保護を基準温度Ｒ５でハード的に行う構成とすることで、仮に制御部２１のＣＰＵの暴走が発生したとしても、３段階の構成（基準温度２、３、５）のハード回路があるため安全性の強化を図ることができる。また、サーモスタット１６，１７の動作温度以下に保護用の基準温度を設定することで、ＣＰＵの暴走が起きても、サーモスタット１６，１７の動作前に食い止めることができるので、機体の損傷なく保護機能を働かせることができる。すなわち、ＣＰＵの暴走が起きても、基準温度を持ったハード回路があるため、安全性の強化を図ることができ、サーモスタット動作前にヒータの加熱を停止することが可能となる。
【００３５】
なお、この発明は、上記実施の形態そのままに限定されるものではなく、実施段階ではその要旨を逸脱しない範囲で構成要素を変形して具体化できるものであり、また、上記実施形態に開示されている複数の構成要素の適宜な組み合わせにより種々の発明を変形できるものである。
【図面の簡単な説明】
【００３６】
【図１】本発明の一実施の形態における定着装置を概略的に示す断面図。
【図２】同実施の形態におけるヒータ制御装置の構成を示す図。
【図３】同実施の形態における電源投入時の過昇温を防止する制御を示すフローチャート。
【図４】同実施の形態における待機時、印刷時の過昇温を防止する制御を示すフローチャート。
【図５】同実施の形態における温度制御のシーケンスを示す図。
【図６】同実施の形態におけるランプＯＮ待ち時間を示す図。
【符号の説明】
【００３７】
１…定着装置、２…ヒータ制御装置、１０…ヒートローラ、１１…センターランプ、１２…サイドランプ、１３…センターサーミスタ、１４…サイドサーミスタ、１５…エッジサーミスタ、１６，１７…サーモスタッド、２１…制御部、２２，２３，２４…基準温度比較回路、２７…リセット回路、２８…本体電源ＳＷ、Ｒ１〜Ｒ５…基準温度、Ｔ１…ランプ点灯遅延時間、Ｔ２，Ｔ４…最大ＯＮ時間、Ｔ３，Ｔ５…最小ＯＦＦ時間
【図１】
2005070628.tif 000003
【図２】
2005070628.tif 000004
【図３】
2005070628.tif 000005
【図４】
2005070628.tif 000006
【図５】
2005070628.tif 000007
【図６】
2005070628.tif 000008